(57)【要約】【課題】  ホットスポットを利用してテレマティクスサービスを提供する際に、効率よく外部との通信を行うことができる車載用情報提示装置を提供することを目的とする。【解決手段】  通信状況判断部１４０によって無線ＬＡＮ１２０を用いた通信を行うことができるかどうかを判断し、通信ができる場合にはテレマティクスアプリケーション実行部１５０は無線ＬＡＮ１２０を用いて必要なデータの取得を行う。このように安価なデータ通信手段である無線ＬＡＮ１２０を用いてデータ取得を行うことができるかどうかを自動で判断してデータ取得を行うことにより、利用者の手を煩わせることなく、無線ＬＡＮ１２０を用いてテレマティクスサービスを安価に利用することが可能となる。【選択図】              図１
2005123951.tif 000002
【特許請求の範囲】
【請求項１】
車両外部から情報を取得して、該情報を車両の乗員に提示する車載用情報提示装置において、
外部と通信を行う第１の通信部と、
車両の乗員に情報を提示する提示部と、
前記第１の通信部が通信可能であるかどうかの判断を行う通信状況判断手段と、
情報処理プログラムを有し、外部から情報を取得して該情報を処理し、該処理結果を前記提示部を介して提示するアプリケーション実行部とを備え、
該アプリケーション実行部は、前記通信状況判断手段によって前記第１の通信部の通信が可能であると判断された場合に、前記第１の通信部を通じて外部との通信を行い情報を取得することを特徴とする車載用情報提示装置。
【請求項２】
外部と通信を行う第２の通信部と、
前記アプリケーション実行部が有する前記情報処理プログラムが、前記第１の通信部または第２の通信部のどちらを利用可能であるかの情報を記憶する利用通信部記憶部とを備え、
前記アプリケーション実行部は、前記通信状況判断手段によって前記第１の通信部の通信が可能であると判断され、かつ前記利用通信部記憶部に、前記アプリケーション実行部が有する情報処理プログラムが前記第１の通信部を利用可能であるとの情報が記憶されている場合に、前記第１の通信部を通じて外部との通信を行い情報を取得することを特徴とする請求項１記載の車載用情報提示装置。
【請求項３】
どの設定情報が設定されれば、前記第１の通信部を用いてアプリケーション実行部がどういった情報提示を行うことができるかの情報が記憶されている設定情報記憶部を備え、
前記アプリケーション実行部は、
前記通信状況判断手段によって前記第１の通信部の通信が可能であると判断され、かつ前記利用通信部記憶部に、前記アプリケーション実行部が有する情報処理プログラムが前記第１の通信部を利用可能であるとの情報が記憶されている場合に、
前記設定情報記憶部を参照して、設定することによって前記アプリケーション実行部によって情報提示が可能となる設定情報を確認し、
未設定の設定情報がある場合には前記提示部を通じて該未設定情報の設定を促し、該未設定情報が設定された場合に、前記第１の通信部を通じて外部との通信を行い情報を取得することを特徴とする請求項２記載の車載用情報提示装置。
【請求項４】
前記第１の通信部は、無線ＬＡＮであることを特徴とする請求項１から３のいずれか１に記載の車載用情報提示装置。
【請求項５】
前記アプリケーション実行部は、前記第１の通信部を用いて外部との通信を行っている際に、前記提示部を通じて、外部から情報を取得中であることを提示することを特徴とする請求項１から４のいずれか１に記載の車載用情報提示装置。
【請求項６】
前記アプリケーション実行部が、前記提示部を通じて外部からの情報を取得中であることを提示する際に、車両の移動を行わないように勧告する旨の提示を行うことを特徴とする請求項５記載の車載用情報提示装置。
【発明の詳細な説明】
【技術分野】
【０００１】
本発明は、ホットスポットを利用してテレマティクスサービスを行う車載用情報提示装置に関する。
【背景技術】
【０００２】
従来、車両と外部の基地局との間で携帯電話を用いてリアルタイムに情報の相互交換を行い、カーナビゲーションの地図情報の更新や、知りたい地域の天気予報の取得などを行うテレマティクスサービスがある。また携帯電話に替えて車両に無線ＬＡＮを搭載し、無線ＬＡＮを用いてインターネットに接続可能な領域であるホットスポット内に車両が侵入した場合に、運転者が無線ＬＡＮを用いて外部の基地局に接続して通信を行うサービスも考えられている。この無線ＬＡＮを利用して通信を行う場合には、通信コストを非常に安価なものとすることができる。
【特許文献１】特開２００３−１８５４５４号公報
【発明の開示】
【発明が解決しようとする課題】
【０００３】
しかしながら、このような従来のホットスポットを利用してテレマティクスサービスを行う車載用情報提示装置においては、ホットスポット内に車両が進入したとしても、車両を運転中の運転者がホットスポットを利用した通信開始の操作を行うことは困難であり、停車をして通信開始の操作を行わなければならないといった問題があった。
【０００４】
そこで本発明はこのような問題点に鑑み、ホットスポットを利用してテレマティクスサービスを提供する際に、効率よく外部との通信を行うことができる車載用情報提示装置を提供することを目的とする。
【課題を解決するための手段】
【０００５】
本発明は、車両外部から情報を取得して、該情報を車両の乗員に提示する車載用情報提示装置において、外部と通信を行う第１の通信部と、車両の乗員に情報を提示する提示部と、第１の通信部が通信可能であるかどうかの判断を行う通信状況判断手段と、情報処理プログラムを有し、外部から情報を取得して該情報を処理し、該処理結果を提示部を介して提示するアプリケーション実行部とを備え、該アプリケーション実行部は、通信状況判断手段によって第１の通信部の通信が可能であると判断された場合に、第１の通信部を通じて外部との通信を行い情報を取得するものとした。
【発明の効果】
【０００６】
本発明によれば、通信状況判断手段によって第１の通信部の通信が可能であると判断された場合に、アプリケーション実行部は自動で第１の通信部を通じて外部との通信を行い情報を取得するので、車載用情報提示装置の利用者の手を煩わせることなく自動で情報提示を行うことができる。
【発明を実施するための最良の形態】
【０００７】
次に本発明の実施の形態を実施例により説明する。
図１に本実施例における車載用情報提示装置を示す。
車載用情報提示装置１は、マイクロコンピュータで構成される情報処理制御部１００に液晶ディスプレイ１１０と、外部との通信を行う無線ＬＡＮ１２０および携帯電話２３０と、データの保存を行う情報保存部１６０と、利用通信部記憶部２７０と、設定情報記憶部２８０とを接続して構成される。
無線ＬＡＮ１２０は、ホットスポットを利用して外部の図示しない基地局との通信を行うものである。
情報処理制御部１００は内部に、通信状況判断部１４０とテレマティクスアプリケーション実行部１５０を備える、
【０００８】
通信状況判断部１４０は、車両がホットスポット内に進入し、無線ＬＡＮ１２０を用いて外部との通信が可能であるかどうかを判断するものであり、たとえば無線ＬＡＮ１２０が受信した電波強度から外部との通信が可能であるかを判断したり、実際に無線ＬＡＮ１２０を用いて外部にアクセスして、通信が可能であるかを判断する。
【０００９】
テレマティクスアプリケーション実行部１５０は、処理を実行するテレマティクスアプリケーションプログラムを備える。
利用者がテレマティクスアプリケーションプログラムの実行指示を出した場合には、テレマティクスアプリケーション実行部１５０は該実行指示がされたプログラムが使用可能である無線ＬＡＮ１２０または携帯電話２３０を用いて外部からデータを取得して処理を実行したり、情報保存部１６０に保存されたデータを用いて処理を実行する。またその処理結果を液晶ディスプレイ１１０に表示する処理を行う。
またテレマティクスアプリケーション実行部１５０は、無線ＬＡＮ１２０や携帯電話２３０を介して受信したデータを情報保存部１６０に保存する。
【００１０】
情報保存部１６０は、ハードディスクやＳＲＡＭ、バッテリーバックアップをしたＤＲＡＭなどが用いられる。
利用通信部記憶部２７０は、テレマティクスアプリケーション実行部１５０がテレマティクスアプリケーションプログラムを有しているかどうかや、そのプログラムが無線ＬＡＮ１２０を用いて通信を行うことができるか、または携帯電話２３０を用いて通信を行うことができるかどうかの情報が記憶されている。
設定情報記憶部２８０には、どの設定情報が設定されればテレマティクスアプリケーション実行部１５０がプログラムを実行することによってどういった情報提示が可能かといった情報が記憶されている。
【００１１】
次に、図２、３に示すフローチャートを用いてテレマティクスサービスを利用する際のデータ受信動作について説明する。
なお本処理は、車両のイグニッションがＯＮとなった後、常時実行されるものである。
ステップ６００においてテレマティクスアプリケーション実行部１５０は、利用者からテレマティクスアプリケーションプログラムの実行指示があったかどうかを判断する。なお、利用者が行うプログラムの実行指示は、情報処理制御部１００に接続された図示しない指示入力部を介して行われる。
【００１２】
プログラムの実行指示があった場合にはステップ６０１へ進み、指示がない場合にはステップ６０３へ進む。
ステップ６０１において通信状況判断部１４０は、無線ＬＡＮ１２０を用いて外部との通信が可能であるかどうかの判断を行う。
無線ＬＡＮ１２０を用いた通信が可能である場合にはステップ６０４へ進む。また無線ＬＡＮ１２０を用いた通信が可能でない場合にはステップ６０２へ進み、携帯電話２３０を用いて実行指示がされたプログラムの実行に必要なデータの取得を行う。この携帯電話２３０を用いてデータの取得を行う構成は、既存の構成を用いて行うことができる。
【００１３】
一方ステップ６０３において通信状況判断部１４０は、無線ＬＡＮ１２０を用いて外部との通信が可能であるかどうかの判断を行う。
無線ＬＡＮ１２０を用いた通信を行うことができない場合にはステップ６００へ戻り、通信を行うことができる場合にはステップ６０４へ進む。
【００１４】
ステップ６０４において、テレマティクスアプリケーション実行部１５０は利用通信部記憶部２７０を参照して、テレマティクスアプリケーション実行部１５０が無線ＬＡＮ１２０を用いて通信を行うことが可能なテレマティクスアプリケーションプログラムを備えているかどうかを判断する。無線ＬＡＮ１２０を用いた通信を行うことができるテレマティクスアプリケーションプログラムを備えている場合にはステップ６０５へ進み、備えていない場合には、ステップ６０２へ進む。
【００１５】
ステップ６０５において、テレマティクスアプリケーション実行部１５０は設定情報記憶部２８０を参照して、テレマティクスアプリケーションプログラムの実行時に必要な設定情報の確認を行う。
この設定情報として、たとえば天気情報や渋滞情報を取得するかどうかの設定がある。
【００１６】
ステップ６０６において、ステップ６０５で確認した設定情報のうち未設定の設定情報があるかどうかを判断し、未設定の設定情報がある場合にはステップ６０７へ進み、未設定の設定情報がない場合にはステップ６０８へ進む。
この未設定情報として、たとえば天気情報や交通情報を取得するといった設定がされていない場合がある。
ステップ６０７において、液晶ディスプレイ１１０に未設定情報を設定するよう促すメッセージを表示する。
【００１７】
ステップ６０８において、テレマティクスアプリケーション実行部１５０は情報保存部１６０を参照し、取得済みのデータを確認する。
なお本実施例においては、図４に示すようにテレマティクスアプリケーション実行部１５０はテレマティクスアプリケーションプログラムとして、プログラムＸとプログラムＹとを備えているものとする。
プログラムＸは、提示情報イ、ロ、ハを液晶ディスプレイ１１０を介して提示可能であり、提示情報イを提示するためにはデータＡが必要であり、提示情報ロを提示するためにはデータＢが、提示情報ハを提示するためにはデータＣが必要である。
プログラムＹは、提示情報ニ、ホ、ヘを液晶ディスプレイ１１０を介して提示可能であり、提示情報ニを提示するためにはデータＤが必要であり、提示情報ホを提示するためにはデータＥが、提示情報ヘを提示するためにはデータＦが必要である。
【００１８】
またデータＡ、Ｄ、Ｅは携帯電話２３０経由でのみ取得可能であり、携帯電話２３０を経由して外部のサーバーに接続してデータの取得を行う。データロ、ハ、ヘは、携帯電話２３０だけでなく無線ＬＡＮ１２０を用いても取得可能であり、無線ＬＡＮ１２０または携帯電話２３０を経由して外部のサーバーに接続してデータの取得を行う。
【００１９】
ステップ６０９において無線ＬＡＮ１２０経由で取得すべき全データの更新が終了しているかどうかの判断を行う。
本実施例において全データとは、プログラムＸ，Ｙが無線ＬＡＮ１２０を介して受付可能なデータＢ，Ｃ，Ｆである。
全データＢ，Ｃ，Ｆが情報保存部１６０に記憶されており更新済みである場合には、無線ＬＡＮ１２０経由でのデータ取得処理を終了する。
【００２０】
一方、ステップ６０９において全データの更新が終了していない場合には、ステップ６１０へ進む。なお本実施例では、データＣのみが取得済みであったとする。
ステップ６１０において、テレマティクスアプリケーション実行部１５０は無線ＬＡＮ１２０を用いたデータ通信が必要かどうかを判断する。
この判断においてデータ通信が不必要となるのは、利用者が提示情報の要求をしていない場合や、取得されているデータ（本実施例においてはデータＣ）を用いて提示することができる提示情報（本実施例においては提示情報ハ）が利用者によって選択されている場合、または要求されている提示情報を提示するために必要なデータが、携帯電話経由でのみ取得可能（データＡ，Ｄ，Ｅ）である場合がある。
【００２１】
無線ＬＡＮ１２０を用いたデータ通信が不要である場合にはステップ６１２へ進み、データ通信が必要である場合（本実施例において、提示情報ロ、ヘのうち少なくともいずれかの提示要求がある場合）にはステップ６１１へ進む。
ステップ６１１において、無線ＬＡＮ１２０を用いて、利用者から要求されている提示情報を提示するために必要なデータの取得を行う。
【００２２】
ステップ６１２において、ステップ６０７で必要な設定を促したことによって利用者が新たに設定情報を追加したかどうかを判断する。この追加要求とは、新たな提示情報の要求や、前回要求した提示情報の更新要求などがある。
設定情報の追加があった場合にはステップ６０６へ戻り上述のように、新たに指示された提示情報を提示するために必要なデータの取得を行う。変更のない場合にはステップ６１３へ進む。
【００２３】
ステップ６１３において、無線ＬＡＮ１２０の使用が不要となり通信の切断が指示されたり、ホットスポットから車両が逸脱するなどして無線ＬＡＮ１２０が切断されたかどうかを判断し、無線ＬＡＮ１２０の通信が切断された場合にはステップ６００へ戻り、再び無線ＬＡＮ１２０を用いた通信が行えるかどうかをチェックする。
一方、無線ＬＡＮ１２０が切断されていない場合には、ステップ６１２へ戻り、上述のように利用者が新たに設定情報を追加、変更をしたかどうかを判断する。
【００２４】
なお本実施例において、無線ＬＡＮ１２０が本発明における第１の通信部を構成し、携帯電話２３０が本発明における第２の通信部を構成する。また液晶ディスプレイ１１０が本発明における提示部を構成し、テレマティクスアプリケーション実行部１５０が本発明におけるアプリケーション実行部を構成する。さらにステップ６０１が本発明における通信状況判断手段を構成する。
【００２５】
本実施例は以上のように構成され、テレマティクスアプリケーション実行部１５０は無線ＬＡＮ１２０を用いた通信が可能であり、かつ、利用通信部記憶部２７０を参照することによって、無線ＬＡＮ１２０を用いて外部との通信を行うテレマティクスアプリケーションプログラムが搭載されている場合に、該プログラムを作動させて無線ＬＡＮ１２０を用いた必要なデータの取得を行う。
このように無線ＬＡＮ１２０を用いて情報取得を行うことが可能なテレマティクスアプリケーションプログラムが搭載されているかをテレマティクスアプリケーション実行部１５０が自動で判別して、該プログラムが搭載されている場合には、無線ＬＡＮ１２０を用いて自動でデータ取得を行うことにより、利用者の手を煩わせることなく、無線ＬＡＮ１２０を用いてテレマティクスサービスを安価に利用することが可能となる。
【００２６】
さらにテレマティクスアプリケーション実行部１５０は設定情報記憶部２８０を参照して、テレマティクスアプリケーションプログラムの実行時に必要な設定情報の確認を行い、未設定情報がある場合には利用者に未設定情報を設定するよう促す。必要な設定を行うことによって、たとえば天気情報や交通情報など無線ＬＡＮ１２０を通じて安価に取得できる情報があることを利用者に知らせ、利用者によって未設定情報の設定がされた場合にデータの取得を行うことによって、さまざまなテレマティクスサービスを有効に、かつ安価に提供することが可能となる。
【００２７】
またステップ６１１におけるデータ取得中に、無線ＬＡＮ１２０を用いた通信中であり車両の移動を行わないように勧告する旨を、テレマティクスアプリケーション実行部１５０は液晶ディスプレイ１１０を通じて提示することにより、たとえば急加速を行いすぐにその場を離れるなど無線ＬＡＮ１２０を用いたデータ取得を妨げる運転動作をしないように車両の運転者に知らせることができる。
これによって、無線ＬＡＮ１２０を用いたデータ取得をより確実に行うことができる。
【図面の簡単な説明】
【００２８】
【図１】本実施例における車載用情報提示装置を示す図である。
【図２】通信を行う際の処理の流れを示す図である。
【図３】通信を行う際の処理の流れを示す図である。
【図４】テレマティクスアプリケーション実行部が備えるテレマティクスアプリケーションプログラムの例を示す図である。
【符号の説明】
【００２９】
１    車載用情報提示装置
１００    情報処理制御部
１１０    液晶ディスプレイ
１２０    無線ＬＡＮ
１４０    通信状況判断部
１５０    テレマティクスアプリケーション実行部
１６０    情報保存部
２７０    利用通信部記憶部
２８０    設定情報記憶部
【図１】
2005123951.tif 000003
【図２】
2005123951.tif 000004
【図３】
2005123951.tif 000005
【図４】
2005123951.tif 000006